(57)【特許請求の範囲】
【請求項１】
２つの板状フランク壁（２）と、デイスク（１６）をその中に挿入し、そこから取出すための開口（７）がその縁部に設けられるようにフランク壁を連結する側壁（３）と、デイスク（１６）に近接してそこから取出すためのスライド（１１）と、デイスク（１６）がそこから引き出されるときに、デイスク（１６）が落下するのを防止する手段と、を備えるコンパクトデイスク等用のデイスクケースであって、スライド（１１）は、少なくとも２つのピン（１２ａ，１２ｂ）を備え、デイスクケース（１）は、対応するピンガイド（６a，６b）を備え、スライド（１１）がデイスクケース（１）の開口（７）から最も離れた位置にあるときに、開口から最も離れて配置された内側ピン（１２b）は、前記ピンに対応する内側ピンガイド（６b）によりデイスクケース（１）で内側に案内され、デイスク（１６）がデイスクケース（１）から排出されるのを防止し、これにより、開口（７）に最も近接して配置された外側ピン（１２a）は、前記ピンに対応する外側ピンガイド（６a）によりデイスクケース（１）内で外側に案内され、スライド（１１）がデイスクケース（１）の開口（７）に最も近接した位置にあるときに、内側ピン（１２b）は、内側ピンガイド（６b）により外側に案内され、デイスク（１６）が内側ピン（１２b）を通過するのを許容し、外側ピン（１２a）は、外側ピンガイド（６a）により内側に案内され、デイスク（１６）がデイスクケース（１）から落下するのを防止することを特徴とするデイスクケース。
【請求項２】
ピン（１２a，１２b）は、スライド（１１）の双方の側部に延びることを特徴とする請求項１に記載のデイスクケース。
【請求項３】
スライド（１１）は、その底部がスライド（１１）を少なくとも部分的に支えるように形成されたスライドトラック（４）内に配置されることを特徴とする請求項１または２に記載のデイスクケース。
【請求項４】
スライド（１１）は、弾性材料から形成されることを特徴とする請求項１から３のいずれか１項に記載のデイスクケース。
【請求項５】
開口（７）は、中央部で幅広でデイスクケース（１）の縁部に向かって幅狭に形成されていることを特徴とする請求項１から４のいずれか１項に記載のデイスクケース。
【請求項６】
開口（７）の縁部は、開口の全長にほぼ沿って湾曲していることを特徴とする請求項１から４のいずれか１項に記載のデイスクケース。
【発明の詳細な説明】
【０００１】
【発明の属する技術分野】
本発明は、２つの板状フランク壁と、デイスクをその中に挿入し、そこから取出すための開口がその縁部に設けられるようにフランク壁を連結する側壁と、そこからデイスクを取出すことを可能とするスライドと、デイスク（１６）がそこから取出されるときに、デイスクが落下するのを防止する手段と、を備えるコンパクトデイスク等用のデイスクケースに関する。
【０００２】
【従来の技術】
現在、コンパクトデイスクケースの欠点は、開くのが困難であること、例えば、小さな子供は、ケースを取扱うのが極めて困難であることが分るということである。更に、ケースの耐久性が、比較的劣っている。デイスクがケースから取出されるときに、デイスクが汚れ、あるいは、損傷を受ける危険性さえもある。
【０００３】
ドイツ国特許出願第３６  ３８  ９１２号は、構造が均一で、デイスクを挿入し、取出すための開口を縁部に有するケースを開示している。デイスクが所定位置にあることを確保するために、ばねがケースの縁部に設けられる。このケースは、使用するのが困難で、デイスクを引き出すために、使用者は、デイスクの上面及び下面を手で把持しなければならない。更に、ケース縁部のばねは、デイスクを損傷することがある。
【０００４】
米国特許第４７３４８１４号とドイツ国特許出願第４２  ３６  ５９６号と国際公開公報第WO  ９３／１６４７１号も、ケースの一方の縁部に、デイスクを挿入し、取出すためのスリットを有する均一構造のデイスクケースを開示している。更に、ケースからデイスクを取出すためのレバーあるいはスライドが、これらのケースに設けられる。ケースからのデイスクの排出は、ばね手段により、防止あるいは遅延される。ケースは、構造が極めて複雑で、従って、製造するのが困難でコスト高である。更に、ばね装置は、特に、デイスクが挿入されるときに、デイスクを損傷することがある。また、レバー及びスライドは、デイスクを非均一に押圧し、従って、損傷することがある構造である。
【０００５】
米国特許第５０００３１６号も、開口した縁部を有するケースを開示している。このケースは、更に、ケース内に収容されたデバイスを備え、このデバイス上にデイスクが部分的に延設され、このデバイスは端部位置でラッチすることができる。デイスクが引き出されたときに、ラッチが解除され、デイスクが部分的にエジェクトされ、これにより、近接して使用することができる。デイスクは、ハブフィティングでデイスク中央孔内に挿入されるときに、ここに抑止されかつ案内される。ケースは、複雑な構造を有し、従って、製造が困難で製造費が高い。更に、デイスクは、取扱いが非常に困難である。
【０００６】
米国特許第４８７５５７８号は、複数の載置されたスライダを備える容器を開示している。各スライダは、容器から一部が突出することができる。スライダの側部は、長手方向ガイドに配置されたピンが設けられ、これにより、スライダは、ガイドの方向に移動することができる。ガイドは、傾斜部が設けられ、これらの傾斜部は、ピンを下方に移動させ、同時に、取り出し端部の近部でスライダを下方に押圧し、摩擦によりスライダの動きを制動する。スライダは、容器から一部が突出したときに、開かれ、手で把持してデイスクを取り出さなければならず、これにより、デイスクは、汚れ、損傷を受けることがある。更に、スライダの制動機構は、スライダを損傷することがある。容器は、使用するのが困難で、構造が複雑である。
【０００７】
本発明の目的は、上記欠点を防止することができるデイスクケースを提供することである。
【０００８】
【課題を解決するための手段】
本発明のデイスクケースの特徴は、スライドが、少なくとも２つのピンを備え、デイスクケースが、対応するピンガイドを備え、スライドがデイスクケースの開口から最も離れた位置にあるときに、開口から最も離れて配置された内側ピンが、前記ピンに対応する内側ピンガイドによりデイスクケース内で内側に案内され、デイスクがデイスクケースから排出されるのを防止し、これにより、開口に最も近接して配置された外側ピンが、前記ピンに対応する外側ピンガイドによりデイスクケース内で外側に案内され、スライドがデイスクケースの開口に最も近接した位置にあるときに、内側ピンは、内側ピンガイドにより外側に案内され、デイスクが内側ピンを通過するのを許容し、外側ピンは、外側ピンガイドにより内側に案内され、デイスクがデイスクケースから落下するのを防止することである。
【０００９】
本発明の本質的思想は、デイスクケースは、その一方の縁部に開口が設けられ、この開口を通ってデイスクをデイスクケース内に挿入し、デイスクケースから取出すことができる。デイスクケースは、更に、少なくとも２つのピンが設けられたスライドとデイスクケースの縁部に設けられた対応するガイドを備え、スライドがデイスクケースの開口から最も離れた位置にあるときに、開口から最も離れて配置されたピンは、前記ピンに対応するピンガイドによりデイスクケース内で内側に案内され、デイスクがデイスクケースから排出されるのを防止する。開口に最も近接するピンは、この後、前記ピンに対応するガイドによりデイスクケース内で外側に案内される。更に、スライドが開口に最も近接した位置にあるときに、開口から最も離れて配置されたピンは、対応するガイドにより外側に案内され、デイスクが前記ピンを通過するのを許容し、開口にもっとも近接するピンは、対応するガイドにより内側に案内され、デイスクがデイスクケースから移動、換言すれば、落下するのを防止する。スライドが、開口から離れる方向に移動したときに、ピンとガイドは、デイスクの移動を解除して、デイスクがデイスクケースからエジェクトされるのを許容する。更に、好ましい実施形態の思想は、デイスクの挿入方向から見て、デイスクケース開口は、中央部で幅広でデイスクケースの縁部に向かって幅狭であるということである。
【００１０】
本発明の利点は、デイスクケースの構造が簡略で、従って、信頼性があり、製造コスト面で効果的であるということである。更に、デイスクケースは、一方の手で取り扱うことが可能であり、これは、例えば、車内で使用するときに、安全上非常に有利である。更に、デイスクは、適切にデイスクケースを傾けることにより演奏装置に直接エジェクトすることができるために、デイスクに手で触れる必要はなく、これにより、デイスクは、クリーンなままであり、デイスクケースから取出されるときに、損傷を受けない。更に、スライドとデイスクケースの制動機構は、デイスクを押圧せず、従って、この点でもデイスクは損傷を受けない。中央部で幅広で縁部に向かって幅狭に開口を形成することは、デイスクがデイスクケース内に挿入されるときに、デイスクの縁部のみが開口の縁部に接触することを意味し、これにより、デイスク面は、デイスクがデイスクケース内に挿入されるときに、損傷を受けない。
【００１１】
【発明の実施の形態】
図１は、本発明のケース１の側面断面図である。明瞭化のために、図１は、ケースに収容されるスライドを示していない。ケース１は、板状フランク壁２を備え、これらのフランク壁は、側壁３で連結されている。ケース１は、図１の右側に側壁を欠き、これにより、開口７が、ケース１の右手側に形成され、この開口を通って、ケース１に格納されるデイスクをケース１内に挿入し、ケースから取出すことができる。ケース１のスライドが収容されるスライドトラック４が、図１の側壁３上部に関連して形成されている。ケース１は、更に、スライドスリット５を備え、このスリットは、スライドが所定の距離にわたって往復動可能とするために必要とされる。
【００１２】
２つのピンガイド６ａ，６ｂが、スライドトラック４から図２に示したデイスクトラック１０内に延びている。外側ピンガイド６ａは、ケース１の開口に近接して配置され、対応する内側ピンガイド６ｂは、ケース１の開口７から離隔している。内側ピンガイドは、その下部の基部で徐々に傾斜し、端部に向かって急傾斜するのが好ましい。角度は、基部で約１０°で、端部で約４０°であるのが好ましい。水平面に対する外側ピンガイド６ａの角度は、約２５°〜３０°であるのが好ましく、これにより、スライドは、ガイド内を極めて滑らかに移動する。
【００１３】
ケース１は、更に、側壁上部に配置され、スライドをデイスクの格納位置でラッチ可能とするラッチガード８を備える。
【００１４】
図２は、開口７の方向から見たケース１の断面図である。スライドトラック４は、開口上部を有し、これにより、スライドは、ケース内に装着するのが容易である。また、スライドトラック４の底部は、スライドを支える。望むならば、スライドを装着後、スライドトラック４上部に板が装着可能であり、これにより、スライド上部は、スライドトラック４においても覆われる。
【００１５】
開口７は、中央部で幅広に、縁部に向かって幅狭に形成されるのが好ましい。開口７の縁部は、開口の全長にほぼ沿って湾曲しているのが好ましい。これは、ケースに、例えば、上記態様で形成された開口パネル９を設けることにより実施することができる。開口７は、例えば、フランク壁２を所望の形状の開口７を形成するように成形することにより、開口パネル９を欠いた所望の形状に形成することもできる。デイスクが、この後、ケース１内に挿入されるときに、デイスクが挿入される際に常に開口７の中央に配置されると否とに関係なく、デイスクの縁部のみが開口７の縁部に接触する。従って、開口７の縁部は、いかなる点においても、ケース内に挿入されるデイスク面を損傷することはない。ケース１に挿入されるデイスクは、デイスクトラック１０間で固定され、支えられる。
【００１６】
図３は、スライドトラック４内に配置されたスライド１１の側面図であり、図４は、上方から見たスライドを示している。スライド１１は、外側ピンガイド６ａ内に嵌合される外側ピン１２ａを備えている。同様に、スライド１１は、内側ピンガイド６ｂ内に嵌合される内側ピン１２ｂを備えている。ピン１２ａ，１２ｂは、スライド１１の双方の側部に延びることができ、これにより、フランク壁にも、ピンガイド６ａ，６ｂに対応するガイドが設けられる。従って、スライド１１は、ピン及びガイドにより２つの異なる側部から支えられる。スライド１１は、更に、ガイドジャグ１３を備え、これを介してスライド１１の移動が案内される。ガイドジャグ１３の上部は、ガイドが案内されるときに、ガイドジャグ１３との接触が失われるのを防止するために、セレーションが形成されるか、あるいは、凹凸があるのが好ましい。スライド１１は、更に、ラッチングジャグ１４を備え、このラッチングジャグにより、スライド１１を、ラッチングガード８にラッチすることができる。スライド１１は、更に、ケース内に配置されるデイスクを支え、デイスクを後部で案内するガイドサポート１５を備えている。ガイドサポート１５は、その下端部が凹部を形成しているのが好ましく、これにより、デイスク縁部は、凹部を形成する下端部内で強固に固定される。
【００１７】
スライド１１は、全く剛性を有せず、ガイドジャグ１３と内側ピン１２ｂとの間の構造あるいは材料において、弾性を有し、これにより、スライド１１は、スライドトラック４の異なる位置の間を滑らかに移動するのが許容される。同様に、ガイドサポート１５は、可撓性材料から形成され、これにより、ガイドサポート１５は、ケース内に格納されたデイスクに損傷を与えない。
【００１８】
図５は、コンパクトデイスクあるいはケース内に格納されるその他の対応する丸いデイスクであってもよいデイスク１６が、ケース１内の格納位置に収容されている状態の本発明のケースの一部を示している。図５において、スライド１１は、ラッチングジャグ１４及びラッチングガード８により、その最後部位置でラッチされる。内側ピン１２ｂは、この結果、デイスク１６がケース１から排出されるのを防止する。ガイドサポート１５は、弾性を有しているため、デイスク１６により若干後方に曲げられる。スライドは、内側ピン１２ｂとガイドジャグ１３との間でスライドトラック４下側の側壁３の一部にもたれかかる。
【００１９】
ガイドジャグ１３を図６の矢印Ａの方向に押圧することにより、スライド１１は、ラッチングガード８及びラッチングジャグ１４から解放される。従って、スライド１１は、スライドトラック４下側の側壁３の一部に対して湾曲し、これにより、デイスク１６を外側に押圧する力が生成される。次に、スライド１１を図７の矢印Bの方向に押圧することにより、内側ピン１２ｂは、スライドが前方に押圧されたときに内側ピンガイド６ｂにより案内されて上方に移動する。ガイドサポート１５は、この後、デイスク１６を外側に押圧する。ガイドサポート１５は、その弾性により、デイスク１６の動きを早めることができる。デイスク１６の図中、右側への移動は、開口７が下方に傾斜するようにケース１を傾けることにより確保される。スライド１１が矢印Bの方向に移動したときに、外側ピンガイド６ａは、同時に、外側ピン１２ａを内側に案内して、外側ピン１２ａはデイスク１６が図７に示した位置から外側に移動するのを防止し、これにより、デイスク１６は、ケース１から自由に落下しない。他方、外側ピン１２ａは、デイスク１６を押圧せず、外側ピンガイド６ａにより案内された外側ピン１２ａは、図７に示した位置に配置され、デイスク１６は、外側ピン１２ａにもたれかかるだけである。スライド１１は、更に、ストッパ段部１７を備え、この段部は、スライドトラック４下側の側壁３の一部に当たったときに、スライドが矢印Ｂの方向に大きく離れるように移動するのを防止する。
【００２０】
スライド１１が、この後、図８の矢印Ｃの方向に移動したときに、外側ピン１２ａは、外側ピンガイド６ａにより案内されて外側に移動し、従って、デイスク１６を解放し、デイスクは、ケース１から取出すことができる。ケース１は、一方の手で保持することができ、スライドは、同時に、同じ手の指でガイドジャグ１３から案内することができる。デイスク１６は、スライド１１を案内することにより、ケース１から取出して、デイスク１６に触れることなく、例えば、直接プレーヤ内に挿入することができる。
【００２１】
デイスク１６は、縁部をケース内に押し込むことにより、ケース１内に再挿入することができ、これにより、スライド１１の動きは、図５〜８に示したものとは逆となる。デイスク１６が、図５に示した位置に接近するときに、ガイドサポート１５は、デイスク１６で押圧することが可能であり、これにより、スライド１１は、図５に示した位置に配置され、スライド１１の弾性のために、ラッチングジャグ１４は、ラッチングガード８の背部にスナップ嵌めすることができ、これにより、デイスク１６は、ケース１内に確実に格納される。
【００２２】
図面および添付明細書は、本発明の思想を示すことを目的とするだけである。本発明は、特許請求の範囲内で詳細を変えることができる。従って、望むならば、例えば、フラップあるいはカバーが、例えば、開口７の外側に配置することができる。
【図面の簡単な説明】
【図１】  本発明のデイスクケースの側面断面図。
【図２】  図１のデイスクケースの正面断面図。
【図３】  本発明のデイスクケースのスライドの側面図。
【図４】  上方から見た図３のスライドを示す図。
【図５】  デイスクがケース内の格納位置に収容されている状態を示す本発明のデイスクケースの側面断面図。
【図６】  スライドがラッチガード及びラッチジャグから解放された状態を示す本発明のデイスクケースの側面断面図。
【図７】  内側ピンが内側ピンガイドにより案内されて上方に移動した状態を示す本発明のデイスクケースの側面断面図。
【図８】  外側ピンが外側ピンガイドにより案内されて外方に移動した状態を示す本発明のデイスクケースの側面断面図。
【図１】
0003970519.tif 000002
【図２】
0003970519.tif 000003
【図３】
0003970519.tif 000004
【図４】
0003970519.tif 000005
【図５】
0003970519.tif 000006
【図６】
0003970519.tif 000007
【図７】
0003970519.tif 000008
【図８】
0003970519.tif 000009